【事件の表示】
　特許第３３８１７８９号「インクカートリッジ」の請求項１ないし３に係る特許に対する特許異議の申立てについて、次のとおり決定する。
【結　論】
　訂正を認める。
　特許第３３８１７８９号の請求項１ないし３に係る特許を取り消す。
【理　由】
１．手続の経緯
　本件特許第３３８１７８９号の請求項１乃至請求項３に係る発明は、平成３年７月８日に出願された特願平３−１６６８５６号の一部を平成１３年（２００１年）８月２４日に特願２００１−２５３８７３号として新たな特許出願としたものの一部を、さらに平成１４年（２００２年）３月１５日に特願２００２−７１７３７号として新たな特許出願としたものであって、平成１４年１２月２０日にその特許の設定登録がなされ、その後、請求項１乃至請求項３に係る発明の特許について遠山タイ子より特許異議の申立てがなされ、取消理由通知がなされ、その指定期間内である平成１６年２月１７日に訂正請求がなされ、その後当審より審尋がなされ、異議申立人より平成１６年１１月１７日に回答書が提出されたものである。
　
２．訂正の適否についての判断
　ア．特許権者が求めている訂正の内容は、次のとおりである。
　訂正事項ａ：特許請求の範囲の請求項１を、
　「【請求項１】インク取出口が一端側に設けられ、インクが封入されたインク袋と、インク取出口からインクを外部に供給可能にインク袋を収容するケースからなり、ホルダに装着されて前記インク取出口が記録ヘッドに連通するインク供給針に挿通されるインクカートリッジにおいて、前記インク取出口が、前記インク袋に接合可能な接合部と、前記接合部よりも先端側の外周に固定溝とを備え、また前記ケースが前記インク取出口の固定溝に対向する領域に嵌合部を備え、前記インク取出口が前記固定溝を前記ケースの嵌合部に挿入して固定されているインクカートリッジ。」から、
　「【請求項１】インク取出口が一端側に設けられ、インクが封入されたインク袋と、インク取出口からインクを外部に供給可能にインク袋を収容するケース
と、蓋体と
、前記蓋体の装着される側が解放された
　訂正事項ｂ：特許明細書の段落【０００５】を、次のように訂正する。
　「【課題を解決するための手段】　このような課題を達成するために本発明においては、インク取出口が一端側に設けられ、インクが封入されたインク袋と、インク取出口からインクを外部に供給可能にインク袋を収容するケース
と、蓋体と
、前記蓋体の装着される側が解放された
　
　イ．訂正の目的の適否、新規事項の有無及び拡張・変更の存否
　訂正事項ａは、本件特許の願書に添付した明細書の段落【００１０】の記載に基づいて、蓋体がインクカートリッジの構成部材の一つであることに、技術的に限定すると共に、本件特許の願書に添付した明細書の段落【０００８】の記載及び図１に基づいて、嵌合部の形態を技術的に限定するものである。
　したがって、訂正事項ａは、特許請求の範囲の減縮を目的とするものである。
　また、訂正事項ｂは、訂正事項ａに伴い、発明の詳細な説明の記載を、請求項１の記載との整合を図るべく訂正するものであり、明瞭でない記載の釈明に相当する。
　そして、上記訂正は、いずれも新規事項の追加に該当せず、実質的に特許請求の範囲を拡張又は変更するものではない。
　ウ．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年改正前特許法第１２６条第１項ないし第３項の規定に適合するので、当該訂正を認める。
　
３．特許異議の申立てについての判断
　ア．本件の請求項１乃至請求項３に係る発明
　上記２．で示したように上記訂正が認められるから、本件の請求項１乃至請求項３に係る発明は、上記訂正請求に係る訂正明細書の特許請求の範囲の請求項１乃至請求項３に記載された次のとおりのものである。
　「【請求項１】インク取出口が一端側に設けられ、インクが封入されたインク袋と、インク取出口からインクを外部に供給可能にインク袋を収容するケースと、蓋体とからなり、ホルダに装着されて前記インク取出口が記録ヘッドに連通するインク供給針に挿通されるインクカートリッジにおいて、前記インク取出口が、前記インク袋に接合可能な接合部と、前記接合部よりも先端側の外周に固定溝とを備え、また前記ケースが前記インク取出口の固定溝に対向する領域に、前記蓋体の装着される側が解放された嵌合部を備え、前記インク取出口が前記固定溝を前記ケースの嵌合部に挿入して固定されているインクカートリッジ。
　【請求項２】前記ケースが前記ホルダに装着されたとき、前記ホルダの位置決め突起に係合する位置決め穴が前記ケースに形成されている請求項１に記載のインクカートリッジ。
　【請求項３】前記ホルダに装着されて前記インク袋の面が略垂直に位置した状態で、前記ケースのインク取出口側の面の前記インク取出口を挟む上及び下に、前記インク取出口と前記供給針との契合よりも先に前記ホルダに設けられた位置決め突起と契合する位置決め穴が形成され、また前記ケースのインク取出口が形成された面と交差する面の前記インク取出口側に前記ホルダに設けられたレールにガイドされるリブが形成されている請求項１に記載のインクカートリッジ。」（以下、「本件発明１」乃至「本件発明３」といい、まとめて「本件発明」という。）
　
　イ．引用例等
　当審が通知した取消理由に引用した、実願平１−７３４０８号（実開平３−１５１３５号）のマイクロフィルム（以下、「引用例１」という。）、特開平２−１０８５５０号公報（以下、「引用例２」という。）、
特開平２−１９８８６２号公報（以下、「引用例３」という。）、実願昭６２−６８４９４号（実開昭６３−１７６６３５号）のマイクロフィルム（以下、「引用例４」という。）には、それぞれ下記の事項が記載されている。
　
　［引用例１］
　ａ．「本考案はインクジェットプリンタにおけるインクカートリッジに関する。」（第１頁１２〜１３行）。
　ｂ．「インクカートリッジ８は、ラミネートフィルム等のシート体により形成されたインク袋２、インク袋の収縮にともなって変位する検出板３、廃インク回収袋４で構成される。取出口１が熱シールによって溶着されたインク袋２は、接着あるいは両面粘着テープによりカートリッジケース５に固定され、かつ取出口１がカートリッジケース５に固定されている。」（第３頁１３〜２０行）。
　ｃ．「廃インク口６が熱シールによって溶着された廃インク回収袋４が、・・・上蓋７に固定されており、尚かつ廃インク口６がカートリッジケース５に固定されている。」（第４頁３〜７行）。
　ｄ．「上記の如く構成されたインクカートリッジ８において、取出口１は第２図の如くポリエチレン取出口１ａと取出口ゴム１ｂが一体成型されている。」（第４頁８〜１０行）。
　ｅ．第２図には、取出口１の外周に環状溝が形成されている点が記載されている。
　ｆ．第１図には、取出口１の外周に形成された環状溝が、第１図において該環状溝に嵌合している凸状にみえるカートリッジケース５に設けられた嵌合部に嵌合していると共に、インク供給針が挿通されている点が記載されている。
　
　［引用例２］
　ａ．「インクカートリッジ１はケース２内の上段にインク袋３を収納し、・・・インクカートリッジ１は、そのケース２の両側面に設けた突起２ａがインクジェット記録装置に設置されたガイド部材６の案内溝６ａに案内されて該ガイド部材６に位置決め装着されるようになっている。この装着状態において、インク袋３に設けた・・・インク供給口７には、インク供給チューブ８に接続された中空のインク供給針９が貫通した状態となっている。」（第１頁右下欄３〜１９行）。
　
　［引用例３］
　ａ．「第１Ａ図において、１はカートリッジ型の液体噴射記録ヘッドであり、記録ヘッド１は互いに着脱自在な記録ヘッド部２とインクタンク３とで構成され、」（第３頁左上欄３〜６行）。
　ｂ．「記録ヘッド部２の係止ピン１６をインクタンク３の係止孔３Ａに差込んで双方を一体にする」（第３頁右上欄２０行〜左下欄２行）。
　
　［引用例４］
　ａ．「１０は該針状中空部材９を保護する為の保護リブであり、該針状中空部材９の先端は該リブ１０より出張らない高さになっている。該保護リブ１０は結合状態でカバー３の対応する位置に設けた溝部３ａに入り込む位置に形成されている。以上の構成において、バックケース（インクカートリッジ）１をインクヘッド（フロントケース）４に装着していくと、保護リブ１０の先端部１０ａがカバー３の溝部３ａに入り込む。保護リブ１０の外形に対して溝部３ａの内径が僅かに大きくガタのない寸法に設定されており、装着方向と直行する方向に対する位置決めを行うことができる。更に深く装着すると針状中空部材９の先端部が栓部材６の溝６ａに挿入され、・・・針状中空部材９の先端部が薄肉部６ｂに当接した状態から更に深く装着すると、該中空部材９が該薄肉部６ｂを貫通すると同時に、・・・係止用ピン５、５がピン受け溝２３、２３に嵌着して結合が完了する。」（明細書第７頁５行〜第８頁第８行）。
　
　ウ．対比・判断
　（１）引用例１記載のインクカートリッジ８は、インクジェットプリンタにおけるインクカートリッジの装着部材に装着することによって使用されることは明らかである。
　また、インク供給針は、記録ヘッドに連通するものであることも明らかである。
　引用例１の上記記載ａ〜ｆからみて、インク袋２に熱シールによって溶着された取出口１は、インク袋２に接合可能な接合部と、この接合部よりも先端側の外周に環状溝とを備えた部材であるといえる。
　そうすると、引用例１の上記記載ａ〜ｆを含む明細書及び図面によると、引用例１には、下記の発明が記載されている。
　「取出口１が一端側に設けられ、インクが封入されたインク袋２と、取出口１からインクを外部に供給可能にインク袋２を収容するカートリッジケース５と、上蓋７とからなり、装着部材に装着されて前記取出口１が記録ヘッドに連通するインク供給針に挿通されるインクカートリッジ８において、前記取出口１が、前記インク袋に接合可能な接合部と、前記接合部よりも先端側の外周に環状溝とを備え、前記取出口１が前記環状溝を前記ケースの嵌合部に固定されているカートリッジケース。」（以下、「引用例１発明」という。）
　
　（２）そこで、まず、本件発明１と引用例１発明とを対比する。
　引用例１発明の「取出口１」、「インク袋２」、「カートリッジケース５」、「上蓋７」、「装着部材」、「環状溝」、「インクカートリッジ８」は、それぞれ、本件発明１の「インク取出口」、「インク袋」、「ケース」、「蓋体」、「ホルダ」、「固定溝」、「インクカートリッジ」に相当する。
　してみると、本件発明１と引用例１発明とは、
　「インク取出口が一端側に設けられ、インクが封入されたインク袋と、インク取出口からインクを外部に供給可能にインク袋を収容するケースと、蓋体とからなり、ホルダに装着されて前記インク取出口が記録ヘッドに連通するインク供給針に挿通されるインクカートリッジにおいて、前記インク取出口が、前記インク袋に接合可能な接合部と、前記接合部よりも先端側の外周に固定溝とを備え、前記インク取出口が前記固定溝を前記ケースの嵌合部に固定されているインクカートリッジ。」である点で一致し、次の点で相違する。
　相違点１：本件発明１では、ケースがインク取出口の固定溝に対向する領域に、蓋体の装着される側が解放された嵌合部を備え、前記インク取出口が前記固定溝を前記ケースの嵌合部に挿入して固定されているのに対して、引用例１発明では、取出口１の環状溝（固定溝）がどのようにカートリッジケース５（ケース）に係合しているのか明確でない点。
　
　上記相違点１について検討する。
　インクカートリッジのインク袋を収容するケースにインク取出口を固定する際に、インク袋のインク取出口の口金部に凸部を有し、ケース側の嵌合部に凹部を有することにより、前記凸部を前記凹部に挿入して固定することは周知である（例えば、特開昭５９−２２７４５８号公報、特開昭５７−２４２８４号公報、特開平２−８８２４８号公報等参照）。
　この凹凸の関係を逆にして、インク袋のインク取出口の口金部に凹部を有し、ケース側の嵌合部に凸部を有する様にし、相違点１に係る本件発明１の如く構成することは、当業者が適宜なし得る単なる設計事項に過ぎない。
　そして、相違点１に係る本件発明１の構成によって、本件発明１が格別の効果を奏するものであるということはできない。
　
　したがって、本件発明１は、引用例１に記載された発明及び周知技術に基づいて当業者が容易に発明をすることができたものと認められるから、特許法第２９条第２項の規定により特許を受けることができない。
　
　（３）次に、本件発明２について
　本件発明２と引用例１発明とを対比する。
　上記（２）と同様にして、本件発明２と引用例１発明とは、
　「インク取出口が一端側に設けられ、インクが封入されたインク袋と、インク取出口からインクを外部に供給可能にインク袋を収容するケースと、蓋体とからなり、ホルダに装着されて前記インク取出口が記録ヘッドに連通するインク供給針に挿通されるインクカートリッジにおいて、前記インク取出口が、前記インク袋に接合可能な接合部と、前記接合部よりも先端側の外周に固定溝とを備え、前記インク取出口が前記固定溝を前記ケースの嵌合部に固定されているインクカートリッジ。」である点で一致し、前記相違点１に加え、次の点で相違する。
　相違点２：本件発明２では、ケースがホルダに装着されたとき、前記ホルダの位置決め突起に係合する位置決め穴が前記ケースに形成されているのに対して、引用例１発明では、その点について規定されていない点。
　
　上記相違点２について検討する。
　引用例３には、記録ヘッド部２の係止ピン１６をインクタンク３の係止孔３Ａに差込んで双方を一体にする点が記載されている。
　ここで、引用例３の「記録ヘッド部２」、「係止ピン１６」、「インクタンク３」、「係止孔３Ａ」は、それぞれ機能として、本件発明２の「ホルダ」、「位置決め突起」、「ケース」、「位置決め穴」に相当する。
　してみれば、相違点２に係る本件発明２の構成は、引用例３に記載されている。
　また、相違点１については、上記（２）での説示と同様である。
　したがって、本件発明２は、引用例１及び引用例３に記載された発明及び周知技術に基づいて当業者が容易に発明をすることができたものと認められるから、特許法第２９条第２項の規定により特許を受けることができない。
　
　（４）次に、本件発明３について
　本件発明３と引用例１発明とを対比する。
　上記（２）と同様にして、本件発明３と引用例１発明とは、
　「インク取出口が一端側に設けられ、インクが封入されたインク袋と、インク取出口からインクを外部に供給可能にインク袋を収容するケースと、蓋体とからなり、ホルダに装着されて前記インク取出口が記録ヘッドに連通するインク供給針に挿通されるインクカートリッジにおいて、前記インク取出口が、前記インク袋に接合可能な接合部と、前記接合部よりも先端側の外周に固定溝とを備え、前記インク取出口が前記固定溝を前記ケースの嵌合部に固定されているインクカートリッジ。」である点で一致し、前記相違点１に加え、次の点で相違する。
　相違点３：本件発明３では、ホルダに装着されてインク袋の面が略垂直に位置した状態で、ケースのインク取出口側の面の前記インク取出口を挟む上及び下に、前記インク取出口と前記供給針との契合よりも先に前記ホルダに設けられた位置決め突起と契合する位置決め穴が形成され、また前記ケースのインク取出口が形成された面と交差する面の前記インク取出口側に前記ホルダに設けられたレールにガイドされるリブが形成されているのに対して、引用例１発明では、その点について規定されていない点。
　
　上記相違点３について検討する。
　引用例４には、針状中空部材９の先端がリブ１０より出張らない高さにされ、リブ１０の先端部１０ａとカバー３の溝部３ａとで、装着方向と直交する方向に対する位置決めを行うことができる点が記載されている。
　また、引用例２には、インクカートリッジ１は、そのケース２の両側面に設けた突起２ａがインクジェット記録装置に設置されたガイド部材６の案内溝６ａに案内されて該ガイド部材６に位置決め装着されるようになっている点が記載されている。
　してみると、引用例４及び引用例２に記載された上記技術思想を引用例１発明に適用し、相違点３に係る本件発明３の如く構成することは、当業者が容易に想到し得たものである。
　また、相違点１については、上記（２）での説示と同様である。
　したがって、本件発明３は、引用例１、引用例２及び引用例４に記載された発明及び周知技術に基づいて当業者が容易に発明をすることができたものと認められるから、特許法第２９条第２項の規定により特許を受けることができない。
　
　エ．むすび
　以上のとおりであるから、本件発明の特許は拒絶の査定をしなければならない特許出願に対してなされたものと認める。
　したがって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年４月８日（２００５．４．８）
【訂正の要旨】
審決（決定）の【理由】欄参照。
（５４）【発明の名称】
インクカートリッジ
（５７）【特許請求の範囲】
　【請求項１】　インク取出口が一端側に設けられ、インクが封入されたインク袋と、インク取出口からインクを外部に供給可能にインク袋を収容するケースと
、蓋体と
　前記インク取出口が、前記インク袋に接合可能な接合部と、前記接合部よりも先端側の外周に固定溝とを備え、また前記ケースが前記インク取出口の固定溝に対向する領域に
、前記蓋体の装着される側が開放された
　【請求項２】　前記ケースが前記ホルダに装着されたとき、前記ホルダの位置決め突起に係合する位置決め穴が前記ケースに形成されている請求項１に記載のインクカートリッジ。
　【請求項３】　前記ホルダに装着されて前記インク袋の面が略垂直に位置した状態で、前記ケースのインク取出口側の面の前記インク取出口を挟む上及び下に、前記インク取出口と前記供給針との契合よりも先に前記ホルダに設けられた位置決め突起と契合する位置決め穴が形成され、また前記ケースのインク取出口が形成された面と交差する面の前記インク取出口側に前記ホルダに設けられたレールにガイドされるリブが形成されている請求項１に記載のインクカートリッジ。
【発明の詳細な説明】
　【０００１】
　【産業上の利用分野】
　本発明は、記録装置の筐体に設置されて記録ヘッドにインクを供給するインクカートリッジに関する。
　【０００２】
　【従来の技術】
　インク供給チューブを介して記録ヘッドにインクを供給するインクカートリッジは、例えば特開平３−７３５０号公報にみられるように、記録ヘッドにインクを供給するインク取出口が一端側に設けられてインクが封入された可撓性材料からなる長方形状のインク袋と、インク袋を収容するケースと蓋体とから構成されている。
　このようなインクカートリッジは、インク取出口を先端とするように記録装置に装填して、記録装置側のインク供給針を貫通させてインク供給チューブを介して記録ヘッドにインクを供給する。
　【０００３】
　このようなインクカートリッジは、そのインク取出口を記録装置のインク供給針に正確に位置決めするため、例えば実開平１−９９６３３号公報に見られるように、インクカートリッジのインク取出口側に契合凹部を、また記録装置側に契合突起を形成することが提案されている。
　【０００４】
　【発明が解決しようとする課題】
　ところで、このようなインクカートリッジは、インクを封入した扁平なインク袋のインク取出口をこのインク袋を収容するハードケースから露出させるように収容して構成されている。
　このようなインクカートリッジにおいては、インク取出口を正確にハードケースに取り付け、固定する必要がある。すなわち、記録装置に設けられたインクカートリッジの所定の収容部にハードケースが収容されるため、ハードケースとインク供給口との相対位置に誤差が存在すると、インク供給針がインク取出口の中心からずれた位置に挿通され、長期間の間にインク漏れを生じる。
　本発明は、このような事情に鑑みてなされたものであって、その目的とするところは、大型のインクカートリッジであってもインク取出口とインク供給針とを正確に係合させることができるインクジェット記録装置のインクカートリッジを提供することである。
　【０００５】
　【課題を解決するための手段】
　このような課題を達成するために本発明においては、インク取出口が一端側に設けられ、インクが封入されたインク袋と、インク取出口からインクを外部に供給可能にインク袋を収容するケースと
、蓋体と
、前記蓋体の装着される側が開放された
　【０００６】
　【作用】
　インク袋のインク取出口の固定溝によりケースに嵌合させて規定の位置に固定でき、大型のインクカートリッジであってもインク取出口をインク供給針に確実に契合させる。
　【０００７】
　【実施例】
　そこで以下に本発明の詳細を図示した実施例に基づいて説明する。
　図１乃至図４は、本発明のインクカートリッジの一実施例を示すものであって、可撓性のインク袋１は、ガスバリヤー性の向上のためにアルミ箔を２枚のフィルム、例えば外側をナイロンフィルム、内側をポリエチレンフィルムにより挟み込んだ、アルミラミネートフィルムによって構成されている。
　アルミラミネートフィルムを２枚重ね合わせ、周囲を熱溶着等によって接合している。接合面（図中、斜線部として示す）の１辺にインク袋１内のインクを外部に導出するインク取出口２を熱溶着等によって接合する。インク取出口２は、プラスチック成形品で、その接合面は、少なくとも対向する１対のテーパがつけられたナイフエッジ形状に形成されていて、接合面の熱溶融面積（いわゆるノリしろ）を十分確保できるように肉厚に構成されている。
　【０００８】
　インク取出口２には固定溝２ａが設けられていて、インク取出口２をケース本体４に嵌合させて固定する。このようにインク取出口２に固定溝２ａを設けたことにより、ケース４の嵌合部４ｂの形状の複雑化を招くことが無く、またインク袋１のインク取出口２を容易に正確な位置に取り付けることができる。ケース本体４は、その挿入方向の面、つまり固定溝２ａが形成されている面に、この固定溝２ａを挟むように位置決め穴４ａ、及びガイド穴４ｇが穿設されている。
　【０００９】
　このように構成されたインク袋１は、ケース本体４の底面に図示しない両面テープで固着され、蓋体側にインク袋１内のインク残量を検出するための検出板５が両面テープ等により固着されている。検出板５にはインク残量が少なくなると、ケース本体４の外部に露出する検出突起５ａが形成されている。
　【００１０】
　蓋６は、一対の角６ａとケース本体４の一対の穴部４ｄの嵌合、一対の爪６ｂと一対の凹部４ｅのスナップフィットによりケース本体４に固定される。最初に角６ａと穴部４ｄの嵌合を行い、次に爪６ｂと凹部４ｅのスナップフィットを行い固定する。爪６ｂは矢印Ｄ方向へたわむように構成され、蓋６が矢印Ｅ方向へ挿入されるとたわみ、凹部４ｅに嵌合する。蓋６を外すときには、ケース本体４の切欠き部４ｆに治具を入れＦ方向にこじることにより、簡単に外すことが可能である。
　【００１１】
　次に、インクカートリッジと記録装置との装着機構について図５に基づいて説明する。
　図５は、本発明のインクカートリッジを記録装置のホルダーに位置決めする機構を示すものであって、記録装置に設けられたホルダー９は、インクカートリッジ８の挿入を案内するとともに、所定位置にインクカートリッジ８を保持するための上下のフレーム１０が設けられている。
　【００１２】
　ホルダー９には、インクカートリッジ８がないときに、ホルダー９の図示しない針座フレームに設けた供給針１５等に手が触れないように保護するシャッター１２が設けられている。フレーム１０には、シャッター１２を図示した位置にロックするための弾性変位可能な一対のロックアーム１０ａ（片側のみ図示）が設けられている。
　シャッター１２は、回転中心１２ａを中心に回動可能に軸支され、図示しないシャッターバネによって、図示した位置に付勢されている。この時、シャッター１２は、ロックアーム１０ａの溝部と係合し、保持状態（ロック状態）になっている。
　インクカートリッジ８を矢印１方向へ上下のフレーム１０の間に挿入すると、インクカートリッジ８のインク取出口側の上面と下面に一対の機能リブ４ｃが、一対のレール１０ｂに案内されて奥に移動する。
　【００１３】
　インクカートリッジ８の一対の機能リブ４ｃがロックアーム１０ａに到達し、ロックアーム１０ａを矢印Ｊ方向へ弾性変位させる。この時シャッター１２は、ロックアーム１０ａの溝部からはずれ、インクカートリッジ８に押されシャッター回転中心１２ａを中心に回動し、インクカートリッジ８の蓋６の上部まで逃げる。
　【００１４】
　インクカートリッジ８がさらに奥に移動すると、インクカートリッジ８の位置決め穴４ａが針座フレームに設けられた位置決め軸１６に係合してインクカートリッジ８の上下の位置が決まる。
　同時に、インクカートリッジ８のインク取出口の上部に形成されたガイド穴４ｇがガイド軸１７に係合してインクカートリッジ８の左右の位置が決まる。
　【００１５】
　位置決め軸１６、及びガイド軸１７は、図５に示したようにその先端がテーパとして形成され、かつインク供給針１５の先端よりもΔＬだけ突出しているため、機能リブ４ｃとレール１０ｂとにより位置決め穴４ａ、ガイド穴４ｇの直径程度の誤差で粗位置決めされていれば、インク供給針１５がインク取出口２に当接する以前に、位置決め軸１６、及びガイド軸１７は、位置決め穴４ａとガイド穴４ｇを所定の位置に正確にガイドしてインク取出口２の中心をインク供給針１５の先端に対向させる。
　【００１６】
　この状態でインクカートリッジ８がさらに奥に移動すると、上下のフレーム１０に保持された一対の板バネ１３（片側のみ図示）と一対の機能リブ４ｃが噛み合い、インクカートリッジ８は上下のフレーム１０に保持される。この状態では、ロックアーム１０ａの弾性変位は元の形状（シャッター１２とロックアーム１０ａの溝部が係合している状態）に戻っている。
　インクカートリッジ８が上下のフレーム１０に保持された時には、供給針１５は取出口ゴム３とインク取出口２を貫き、インク袋１内のインクに到達している。インクカートリッジ８を図示以外の方向でホルダー９に挿入すると、インクカートリッジ８の機能リブ４ｃや一対の誤挿入防止リブ４ｗが上下のフレーム１０の一対の誤挿入防止面１０ｃに接触し、ホルダー９への挿入を阻止する。
　【００１７】
　このように、挿入当初は、機能リブ４ｃとレール１０ｂとによりインクカートリッジを位置決めしながら、長い距離を奥に移動させ、インク供給針１５に当接する直前に位置決め穴４ａ及びガイド穴４ｇを位置決め軸１６とガイド軸１７により位置決めすることにより、記録装置の一対のフレーム１０の位置精度をある程度下げることができ、また挿入当初にインクカートリッジとの間に遊びを確保できるため、挿入時に小さい押圧力で大きなカートリッジを奥に容易に移動させることが可能となる。
　そしてインク取出口２がその固定溝２ａによりケース本体４の嵌合部４ｂに固定されているため、インク供給針１５の挿通による外力を受けてもインク取出口２がケース本体４の規定の位置を維持し、大型のインクカートリッジであってもインク取出口２をインク供給針１５に確実に契合させて、インク漏れを起こすことなく記録ヘッドにインクを供給することができる。
　すなわち、インク収容量が多く、重いため装着時に強い力で押圧されて、インク取出口２がインク供給針１５に当接する微妙な感触が検知できない場合にでもインク取出口２の中心をインク供給針１５に挿通することができる。
　【００１８】
　記録装置に装着された状態で振動などによりカートリッジを倒すような力が作用すると、インク取出口２の上下の位置決め穴４ａとガイド穴４ｇとに挿入されている位置決め軸１６とガイド軸１７より垂直姿勢を維持できるため、インク供給針１５に曲げ力が作用するのが防止される。
　また、インク供給針を挟むように配置された位置決め用軸により２点で支持されるため、カートリッジのローリングが防止され、インク袋のインク残量に応じて変位する検出突起によりインク残量を正確に検出することができる。
　さらには、
　【００１９】
　インクカートリッジ８をホルダー９から取り出すと、機能リブ４ｃと板バネ１３の噛み合いが外れ、機能リブ４ｃがロックアーム１０ａに到達し、ロックアーム１０ａを矢印Ｊ方向へ弾性変位させる。この時シャッター１２はシャッターバネ（不図示）によって、図示位置まで戻されシャッター１２はロックアーム１０ａの溝部と係合し、保持状態（ロック状態）になる。
　【００２０】
　【発明の効果】
　本発明によれば、インク袋のインク取出口の固定溝によりケースに嵌合させて規定の位置に固定でき、大型で重いインクカートリッジであってもインク取出口をインク供給針に確実に契合させて、インク漏れを起こすことなく記録ヘッドにインクを供給することができる。
【図面の簡単な説明】
　【図１】
　本発明のインクカートリッジの一実施例を示す概略斜視図である。
　【図２】
　インク取出口を形成する部材の一実施例を示す断面図である。
　【図３】
　インク取出口の固定溝を示す断面図である。
　【図４】
　ケースと蓋とのスナップフィット形状を示す断面図である。
　【図５】
　本発明のインクカートリッジを記録装置に装着する際の位置決め機構の一実施例を示す斜視図である。
　【符号の説明】
　１　インク袋
　２　インク取出口
　２ａ　固定溝
　４　ケース本体
　４ａ　位置決め穴
　４ｂ　嵌合部
　４ｃ　機能リブ
　４ｄ　穴部
　４ｅ　凹部
　４ｆ　切欠き部
　４ｇ　ガイド穴
　４ｗ　誤挿入防止リブ
　４ｘ　シャッターリブ
　４ｙ　案内リブ
　４ｚ　突起
　５　検出板
　６　蓋
　８　インクカートリッジ
　９　ホルダ
　１０ｂ　レール
　１０ｃ　誤挿入防止面
　１５　インク供給針
　１６　位置決め軸
　１７　ガイド軸